(57)【要約】【課題】  一対のスピーカを具えた携帯型通信端末機において、コンパクトな部品配置によって小型化を図る。【解決手段】  本発明に係る携帯型通信端末機においては、キャビネットの内部に一対のスピーカ４、４が左右に並べて設置され、キャビネットには、両スピーカ４、４からの音波を通過させるための放音孔が左右に開設されている。又、キャビネットの内部には、一対のスピーカ４、４の間に、着信報知用の振動ユニット５が配備されている。【選択図】      図４
2005244784.tif 000002
【特許請求の範囲】
【請求項１】
キャビネット(１)の内部に一対のスピーカ(４)(４)が左右に並べて設置され、キャビネット(１)には、両スピーカ(４)(４)からの音波を通過させるための放音孔(12)(12)が左右に開設されている携帯型通信端末機において、前記キャビネット(１)の内部には、前記一対のスピーカ(４)(４)の間に、着信報知用の振動ユニット(５)が配備されていることを特徴とする携帯型通信端末機。
【請求項２】
前記一対のスピーカ(４)(４)は、キャビネット(１)の中心線を挟んで両側に配置され、前記振動ユニット(５)は、キャビネット(１)の中心線上に設置されている請求項１に記載の携帯型通信端末機。
【請求項３】
前記一対のスピーカ(４)(４)と振動ユニット(５)は、キャビネット(１)の内面に設置されたホルダー(６)上に保持されている請求項１又は請求項２に記載の携帯型通信端末機。
【請求項４】
前記ホルダー(６)の背面とキャビネット(１)の内面との間には、シール部材(７)が介在し、該シール部材(７)は、両スピーカ(４)(４)と対向する２つの領域に開口(71a)(71a)を有する弾性シート(71)と該弾性シート(71)の全面を覆うメッシュシート(72)の２層構造を有し、前記開口(71a)(71a)が前記放音孔(12)(12)にそれぞれ連通している請求項１乃至請求項３の何れかに記載の携帯型通信端末機。
【発明の詳細な説明】
【技術分野】
【０００１】
本発明は、携帯電話機等の携帯型通信端末機に関し、特に一対のスピーカを具えた携帯型通信端末機に関するものである。
【背景技術】
【０００２】
近年、携帯電話機においては、小型化や薄型化が進むと共に多機能化が進んでおり、電話通信機能やメール送受信機能のみならず、ＦＭラジオ放送の受信機能やインターネットを通じて音楽データをダウンロードする音楽データ受信機能を有するものが開発されている。
この様な携帯電話機においては、キャビネットに左右一対のスピーカを内蔵して、ステレオによる音楽データの再生が可能となっている(例えば特許文献１)。
【特許文献１】特開２００２−２７０２８号公報［H04M1/00］
【発明の開示】
【発明が解決しようとする課題】
【０００３】
しかしながら、携帯電話機においては、着信を報知するための振動ユニット、画像撮影のためのカメラ、ラジオ放送受信のためのチューナ等、数多くの部品を搭載する必要があり、特に一対のスピーカを内蔵した携帯電話機においては、２つのスピーカが大きなスペースを占めるため、部品点数の増大に伴う大型化の問題が顕著である。
そこで本発明の目的は、一対のスピーカを具えた携帯型通信端末機においてコンパクトな部品配置によって小型化を図ることである。
【課題を解決するための手段】
【０００４】
本発明に係る携帯型通信端末機においては、キャビネット(１)の内部に一対のスピーカ(４)(４)が左右に並べて設置され、キャビネット(１)には、両スピーカ(４)(４)からの音波を通過させるための放音孔(12)(12)が左右に開設されている。又、キャビネット(１)の内部には、両スピーカ(４)(４)の間に、着信報知用の振動ユニット(５)が配備されている。
【０００５】
一対のスピーカ(４)(４)を具えた携帯型通信端末機においては、２つのスピーカ(４)(４)はステレオ効果を高めるために出来るだけ距離をおいて配置することとなるため、両スピーカ(４)(４)の間にデッドスペースが生じることとなる。そこで、本発明の携帯型通信端末機は、両スピーカ(４)(４)の間に形成されるデッドスペースに振動ユニット(５)を設置することとして、キャビネット(１)内のスペースの有効活用を図ったものである。
【０００６】
具体的構成において、一対のスピーカ(４)(４)は、キャビネット(１)の中心線を挟んで両側に配置され、前記振動ユニット(５)は、キャビネット(１)の中心線上に設置されている。
該具体的構成によれば、着信があったときの振動の発生源がキャビネット(１)の中心線上に位置することとなるため、机上に設置した状態で着信があったとしても、振動に伴って携帯型通信端末機が何れか一方向へ激しく移動することはなく、机上から落下する虞が低い。
【０００７】
又、具体的構成において、一対のスピーカ(４)(４)と振動ユニット(５)は、キャビネット(１)の内面に設置されたホルダー(６)上に保持されている。
振動ユニット(５)はスピーカ(４)等と比べて大きな高さを有し、この様な振動ユニット(５)をキャビネット(１)の内面に直接に保持する構造を採用した場合、キャビネット(１)の内面に大きな高さのリブを突設する必要が生じ、この様なキャビネット(１)の樹脂成型に用いる金型は複雑なものとなるが、上記具体的構成によれば、振動ユニット(５)がキャビネット(１)とは別体のホルダー(６)上に保持されるので、キャビネット(１)の樹脂成型に用いる金型が簡易なものとなる。
【０００８】
更に具体的な構成において、ホルダー(６)の背面とキャビネット(１)の内面との間にはシール部材(７)が介在し、該シール部材(７)は、両スピーカ(４)(４)と対向する２つの領域に開口(71a)(71a)を有する弾性シート(71)と、該弾性シート(71)の全面を覆うメッシュシート(72)の２層構造を有し、前記開口(71a)(71a)が前記放音孔(12)(12)にそれぞれ連通している。
該具体的構成によれば、メッシュシート(72)によってスピーカ(４)(４)に対する防水が図られると共に、振動ユニット(５)の振動が弾性シート(71)を介してキャビネット(１)に効率的に伝達される。更に又、各スピーカ(４)から発せられた音波が弾性シート(71)の開口(71a)を経て放音孔(12)へ漏れることなく導かれることになる。
【発明の効果】
【０００９】
本発明に係る携帯型通信端末機によれば、一対のスピーカの間に形成されるデッドスペースを利用して振動ユニット(５)が設置されているので、キャビネット(１)内のスペースの有効活用が図られて、コンパクトな部品配置を通じて小型化が実現される。
【発明を実施するための最良の形態】
【００１０】
以下、本発明を折り畳み式携帯電話機に実施した形態につき、図面に沿って具体的に説明する。
本発明に係る折り畳み式携帯電話機は、図１に示す如く本体キャビネット(１)と蓋体キャビネット(２)をヒンジ機構(３)によって互いに開閉可能に連結して構成される。
【００１１】
本体キャビネット(１)の背面には、ヒンジ機構(３)から遠い方の端部に凹面(11)が形成され、該凹面(11)の左右両端部には、それぞれ複数の第１放音孔(12)が開設されている。
又、本体キャビネット(１)の凹面(11)の両側にはそれぞれ、側方へ向けて開口した第２放音孔(13)が開設されている。
【００１２】
図３に示す如く、本体キャビネット(１)は背面側キャビネット半体(15)と前面側キャビネット半体(16)を接合して構成され、前面側キャビネット半体(16)の表面には、複数の操作キー(14)が配備されている。
本体キャビネット(１)の内部には、前記左右の第１放音孔(12)(12)へ向けて、左右一対のスピーカ(４)(４)が本体キャビネット(１)の中心線を挟んで両側に配備されている。又、両スピーカ(４)(４)の間には、図４に示す如く、着信報知用の振動ユニット(５)が設置されている。
【００１３】
図５に示す如く、背面側キャビネット半体(15)には、前記第１放音孔(12)(12)が形成された領域を含む設置面(18)が形成されており、該設置面(18)にシール部材(７)を介してホルダー(６)が設置され、該ホルダー(６)上に、一対のスピーカ(４)(４)が下向きに設置されると共に、振動ユニット(５)が保持される。
ホルダー(６)の本体(61)には、両スピーカ(４)(４)の放音面が対向すべき２つの開口(63)(63)が開設されると共に、振動ユニット(５)を保持するための振動ユニット保持部(62)が突設されている。
【００１４】
シール部材(７)は、２つのスピーカ(４)(４)と対向する２つの領域に開口(71a)(71a)を有するポロン製の弾性シート(71)と、該弾性シート(71)の全面を覆うメッシュシート(72)とを貼り合わせた２層構造を有しており、背面側キャビネット半体(15)の設置面(18)に密着して設置される。
【００１５】
組立工程においては、背面側キャビネット半体(15)の設置面(18)に、シール部材(７)を介してホルダー(６)を設置し、該ホルダー(６)上にスピーカ(４)(４)及び振動ユニット(５)を取り付けた状態で、２本のビス(40)(40)をスピーカ(４)(４)の端部に挿通してその先端を背面側キャビネット半体(15)上のボス(17)(17)にねじ込むことにより、図４の如く背面側キャビネット半体(15)にスピーカ(４)(４)及び振動ユニット(５)を固定する。
この状態で、スピーカ(４)(４)の端子(41)(41)と振動ユニット(５)の端子(51)は、表面に露出することになる。
【００１６】
一方、図６に示す如く前面側キャビネット半体(16)上に回路基板(８)を取り付け、該前面側キャビネット半体(16)を図４に示す背面側キャビネット半体(15)に被せて両キャビネット半体(15)(16)を接合固定することにより、図６に示す回路基板(８)の電極(81)(81)(82)がそれぞれ、図４に示すスピーカ(４)(４)の端子(41)(41)と振動ユニット(５)の端子(51)に接触し、電気的接続が為されることになる。
【００１７】
又、図３に示す如く、ホルダー(６)上のスピーカ(４)(４)及び振動ユニット(５)が前面側キャビネット半体(16)と背面側キャビネット半体(15)の間に挟圧されて、本体キャビネット(１)に対する機械的連結が為されることになる。
ここで、シール部材(７)は、背面側キャビネット半体(15)とホルダー(６)の間で挟圧されて弾性圧縮され、その反発力によって背面側キャビネット半体(15)の内面に密着すると同時に、ホルダー(６)の背面に密着する。
【００１８】
この結果、スピーカ(４)の放音面は、ホルダー(６)の開口(63)及びシール部材(７)の開口(71a)によって形成される密閉空間を経て、背面側キャビネット半体(15)の第１放音孔(12)と第２放音孔(13)に通じることになる。
従って、スピーカ(４)から発せられる音波は、前記密閉空間を経て背面側キャビネット半体(15)の第１放音孔(12)から本体キャビネット(１)の外側へ放出されると同時に、前記密閉空間を経て背面側キャビネット半体(15)の第２放音孔(13)から本体キャビネット(１)の外側へ放出され、音漏れは発生しない。これによって高いステレオ効果が得られる。
【００１９】
又、着信時には、振動ユニット(５)が動作して、該振動ユニット(５)の振動がホルダー(６)及びシール部材(７)を経て効率的に本体キャビネット(１)に伝わり、本体キャビネット(１)を大きく振動させることになる。
【００２０】
上記本発明の折り畳み式携帯電話機においては、一対のスピーカ(４)(４)の間に振動ユニット(５)がコンパクトに設置されているので、キャビネット(１)内のスペースの有効活用が図られており、これによって小型化が実現されている。
又、共通のホルダー(６)上に一対のスピーカ(４)(４)及び振動ユニット(５)を組み込んだ構造が採用されているので、組立工程が簡易となる。
【００２１】
本発明の折り畳み式携帯電話機が机上に置かれた状態で着信があったとき、振動源である振動ユニット(５)は、本体キャビネット(１)の中心線上に配置されているので、折り畳み式携帯電話機が振動に伴って左右の何れか一方向へ激しく移動することはなく、机上から落下する虞は低い。
又、本発明の折り畳み式携帯電話機が本体キャビネット(１)の背面を下に向けて机上に置かれた状態でスピーカ(４)(４)が鳴動した場合でも、本体キャビネット(１)背面の第１放音孔(12)は、凹面(11)に開設されているので、該第１放音孔(12)から放出される音波の出口は確保されることになる。
【図面の簡単な説明】
【００２２】
【図１】本発明に係る折り畳み式携帯電話機の斜視図である。
【図２】該折り畳み式携帯電話機の背面図である。
【図３】図２のＡ−Ａ線に沿う本体キャビネットの断面図である。
【図４】背面側キャビネット半体、スピーカ及び振動ユニットの組立状態を示す斜視図である。
【図５】背面側キャビネット半体、スピーカ及び振動ユニットの分解斜視図である。
【図６】前面側キャビネット半体及び回路基板の組立状態を示す斜視図である。
【符号の説明】
【００２３】
(１)  本体キャビネット
(２)  蓋体キャビネット
(３)  ヒンジ機構
(11)  凹面
(12)  第１放音孔
(13)  第２放音孔
(15)  背面側キャビネット半体
(16)  前面側キャビネット半体
(４)  スピーカ
(５)  振動ユニット
(６)  ホルダー
(62)  振動ユニット保持部
(63)  開口
(７)  シール部材
(71)  弾性シート
(72)  メッシュシート
【図１】
2005244784.tif 000003
【図２】
2005244784.tif 000004
【図３】
2005244784.tif 000005
【図４】
2005244784.tif 000006
【図５】
2005244784.tif 000007
【図６】
2005244784.tif 000008